(57)【要約】【課題】  優れた固定機能を有する物干し具用コネクタを提供する。【解決手段】  中央に横向パイプ１２が形成され、横向パイプ１２の外縁に外側へ延出する位置決めプレート１３が設けられ、該位置決めプレート１３の上縁に所定の間隔で配列した複数の位置決めパイプ１３１が形成されると共に、該位置決めパイプ１３１の上部に切れ溝１３２を形成した構成とした。【選択図】  図２
2005185606.tif 000002
【特許請求の範囲】
【請求項１】
中央位置に横向パイプ１２を有し、該横向パイプ１２の軸方向と交差する外周壁面に外方へ延出する位置決めプレート１３を設け、該位置決めプレート１３には、前記横向きパイプ１２と同軸方向に開口を有し、且つ所定の間隔で配列した複数の位置決めパイプ１３１を設けると共に、該位置決めパイプ１３１の上部には前記開口に連通する切れ溝１３２を形成したことを特徴とする物干し具用コネクタ。
【請求項２】
前記横向パイプ１２の下部には縦向パイプ１１が形成されたことを特徴とする請求項１に記載の物干し具用コネクタ。
【請求項３】
前記横向パイプ１２に位置決め部材１２１を設けたことを特徴とする請求項１又は２に記載の物干し具用コネクタ。
【発明の詳細な説明】
【技術分野】
【０００１】
本発明は、物干し具に関し、特に物干し具に連結して使用する優れた固定機能を備えた物干し具用コネクタに関するものである。
【背景技術】
【０００２】
図８に示すように、従来の物干し具３０は、台座３１と、台座３１に設けられる二本の支柱３２とを有し、該支柱３２の上端には固定用コネクタ３３が設置され、該固定用コネクタ３３の下端に支柱３２の上端を嵌合収容するための縦向パイプ３３１と、掛けロッド３４を位置決めするための横向パイプ３３２が交差状態に形成されると共に、前記固定用コネクタ３３の両側には夫々外側へ延伸する支持ロッド３３３が設けられており、この支持ロッド３３４の末端にフック状の結合部３３４が設けられ構成となっている。したがって、前記掛けロッド３４の両端を前記横向パイプ３３２に連結し、且つ載置フレーム３５を前記支持ロッド３３３上に設置することができるようになっている。
【発明の開示】
【発明が解決しようとする課題】
【０００３】
しかしながら、従来の物干し具３０における固定用コネクタ３３は表面積の少ない網のような載置フレーム３５からなり、且つ掛けロッド３４は一本のみの設置しかできない構成であるので、面積の小さい網状の載置フレーム３５には、小物の洗濯物しか載置することができない。また、前記網状の載置フレーム３５は、支持ロッド３３３の結合部３３４だけで固定されるようになっているので、固定部が弱くなっており、外力によって前記載置フレーム３５が固定用コネクタ３３から外れ落ちるという問題点がある。
【０００４】
そこで、案出されたのが本発明であって、優れた固定機能を備えた物干具用のコネクタを提供することを目的としている。
【課題を解決するための手段】
【０００５】
本願の請求項１の発明は、中央位置に横向パイプ１２を有し、該横向パイプ１２の軸方向と交差する外周壁面に外方へ延出する位置決めプレート１３を設け、該位置決めプレート１３には、前記横向きパイプ１２と同軸方向に開口を有し、且つ所定の間隔で配列した複数の位置決めパイプ１３１を設けると共に、該位置決めパイプ１３１の上部には前記開口に連通する切れ溝１３２が形成された特徴とする。
請求項２の発明は、請求項１に記載の物干し具用コネクタにおいて、前記横向パイプ１２の下部には縦向パイプ１１が形成されたことを特徴とする。
請求項３の発明は、請求項１又は２に記載の物干し具用コネクタにおいて、前記横向パイプ１２に位置決め部材１２１を設けたことを特徴とする。
【発明の効果】
【０００６】
本発明の物干し具用コネクタは、上記の課題を解決するものであり、横向パイプ１２の軸方向と交差する外周壁面に外方へ延出する位置決めプレート１３を設け、該位置決めプレート１３には、前記横向きパイプ１２と同軸方向に開口を有し、且つ所定の間隔で配列した複数の位置決めパイプ１３１を設けると共に、該位置決めパイプ１３１の上部には前記開口に連通する切れ溝１３２が形成した構成としたので、掛けロッドや載置フレーム或いは載置プレートなどの載置部材を使用者の需要に応じて変更することができ、又、格子状の載置フレームは複数箇所を位置決めパイプに固定することができるので、優れた固定機能を奏することができる。
【発明を実施するための最良の形態】
【０００７】
以下、添付図面を参照して本発明の好適な実施の形態を詳細に説明する。又、下記実施例は、本発明の好適な実施の形態を示したものに過ぎず、本発明の特許請求の範囲における技術的範囲は、下記実施例そのものに何ら限定されるものではないことは言うまでもない。
【実施例】
【０００８】
図１は本発明に係る一実施例を示す物干し具用コネクタの使用状態を示す斜視図であり、図２は本発明に係る一実施例を示すコネクタの斜視図であり、図３は本発明に係る一実施例を示すコネクタと載置フレームの分解斜視図であり、図４は本発明に係る一実施例を示す物干し具のコネクタと載置フレームの結合状態を示す斜視図であり、図５は本発明に係る一実施例を示す物干し具用コネクタと掛けロッドの結合状態を示す斜視図であり、図６は本発明に係る一実施例を示す物干し具用コネクタと載置プレートを示す分解斜視図であり、図７は本発明に係る一実施例を示す物干し具用コネクタと載置プレートの結合状態を示す斜視図である。
【０００９】
図１に示すように、本発明に係る物干し具用コネクタは、従来の物干し具２０に使用することができるものであり、本実施例の物干し具２０は従来の物干し具に適用した状態を示したものであって、所定の間隔で配設した二本の支持ロッド２１１を連結ロッド２１２によって連結した台座２１と、前記各支持ロッド２１１にそれぞれの基端部が固定された支柱２２とを有し、該各支柱２２の上端には格子状の載置フレーム２３及び伸縮式ロッド２４を設置するため本発明のコネクタ１０が設けられたものである。
【００１０】
図１及び図２に示すように、前記コネクタ１０の中央位置には、支柱２２の上端を嵌合連結するための中空状の縦向パイプ１１と、この縦向パイプ１１と交差した上部に設けられる横向パイプ１２とが配設され、該横向パイプ１２に伸縮式ロッド２４を位置決めするため位置決め部材１２１が設けられると共に、前記横向パイプ１２の軸方向とは交差する外方に延出する扇形、半円形、円形、又は多辺形状の位置決めプレート１３が設けられている。
本実施例の位置決めプレート１３は扇形であり、該位置決めプレート１３の上縁には前記横向きパイプ１２と同軸方向に開口を有し、且つ所定の間隔で配列した複数の位置決めパイプ１３１を設けると共に、該位置決めパイプ１３１の上部には前記開口に連通する切れ溝１３２が形成されたものである。
【００１１】
又、図１，図３及び図４に示すように、本発明に係る物干し具用コネクタを使用する場合、コネクタ１０が物干し具２０における支柱２２の上端に連結されると共に、伸縮式ロッド２４がコネクタ１０における横向パイプ１２の位置決め部材１２１に挿入されることにより、ハンガーを掛けるものとして使用することができ、又、コネクタ１０における位置決めパイプ１３１に形成した切れ溝１３２を介して格子状の載置フレーム２３を設置することができるので、載置フレーム２３は複数箇所が位置決めパイプ１３１によって固定されるため、優れた固定機能を発揮することができる。
【００１２】
又、前記コネクタ１０の横向パイプ１２に設置される伸縮式ロッド２４は壁又は好適な場所に設置されることにより、従来のように２本の支柱からなる物干し具２０を使用しなくて設置が可能である。
【００１３】
さらに、図５に示すように、前記コネクタ１０は前記載置フレーム２４を設置できるだけでなく、前記位置決めパイプ１３１に所要な長さを有する複数の掛けロッド２５が設けられることにより、より沢山の衣服を掛けることができる。
【００１４】
さらにまた、図６及び図７に示すように、前記コネクタ１０における平行の位置決めパイプ１３１に二本の掛けロッド２５を設置した場合には、この掛けロッド２５の上に載置プレート２６を設けることができ、該載置プレート２６の底面に掛けロッド２５に対応する係合フック２６１が設けられることにより、載置プレート２６を掛けロッド２５と結合することができるので、吊り下げによって乾燥が不向きの洗濯物、或いは多少大きな洗濯物であっても、載置プレート２６に載せて乾燥に供することができる。
【産業上の利用可能性】
【００１５】
本発明は上記の構成を有するので、コネクタの上縁に所定の間隔で配列した複数の位置決めパイプが形成されると共に、該位置決めパイプの上部に切れ溝が形成されることにより、掛けロッドや載置フレームや載置プレートなどの載置部材を使用者の需要に応じて変更することができ、又、格子状の載置フレームは複数箇所を位置決めパイプによって固定できるため、優れた固定機能を奏する。
【図面の簡単な説明】
【００１６】
【図１】本発明に係る一実施例を示す物干し具用コネクタの使用状態を示す斜視図である。
【図２】本発明に係る一実施例を示す物干し具用コネクタの斜視図である。
【図３】本発明に係る一実施例を示す物干し具用コネクタと載置フレームの分解斜視図である。
【図４】本発明に係る一実施例を示す物干し具用コネクタと載置フレームの結合状態を示す斜視図である。
【図５】本発明に係る一実施例を示す物干し具用コネクタと掛けロッドの結合状態を示す斜視図である。
【図６】本発明に係る一実施例を示す物干し具用コネクタと載置プレートを示す分解斜視図である。
【図７】本発明に係る一実施例を示す物干し具用コネクタと載置プレートの結合状態を示す斜視図である。
【図８】従来の物干し具の分解斜視図である。
【符号の説明】
【００１７】
１０        コネクタ
１１        縦向パイプ
１２        横向パイプ
１２１      位置決め部材
１３        位置決めプレート
１３１      位置決めパイプ
１３２      切れ溝
２０        物干し具
２１        台座
２１１      支持ロッド
２１２      連結ロッド
２２        支柱
２３        載置フレーム
２４        伸縮式ロッド
２５        掛けロッド
２６        載置プレート
２６１      係合フック
３０        物干し具
３１        台座
３２        支柱
３３        固定用コネクタ
３３１      縦向パイプ
３３２      横向パイプ
３３３      支持ロッド
３３４      結合部
３４        掛けロッド
３５        載置フレーム
【図１】
2005185606.tif 000003
【図２】
2005185606.tif 000004
【図３】
2005185606.tif 000005
【図４】
2005185606.tif 000006
【図５】
2005185606.tif 000007
【図６】
2005185606.tif 000008
【図７】
2005185606.tif 000009
【図８】
2005185606.tif 000010